(57)【要約】【課題】受信開始条件を電子機器の様々な使用状況に応じて設定でき、受信成功率を向上できる電子機器および電子機器の制御方法を提供すること。【解決手段】電子機器は、位置情報衛星から衛星信号を受信する受信部と、照射される光の照度に関する値を検出する照度検出部と、照度検出部により検出された値に基づいて、照度が照度閾値以上となる高照度状態の継続時間が、時間閾値以上か否かを判定し、高照度状態の継続時間が時間閾値以上の場合、受信部を作動して受信処理を実行する受信制御部と、時間閾値の値を設定する閾値設定部と、を備え、閾値設定部は、時間閾値が上限値に設定された状態で実行された受信処理が受信に失敗した場合は、時間閾値を上限値よりも短い値に変更し、時間閾値が上限値よりも短い時間に設定された状態で実行された受信処理が受信に失敗した場合は、時間閾値をより長い値に変更する。【選択図】図４
2019158799.tif 000002
【特許請求の範囲】
【請求項１】
位置情報衛星から衛星信号を受信する受信部と、
照射される光の照度に関する値を検出する照度検出部と、
前記照度検出部により検出された値に基づいて、前記照度が照度閾値以上となる高照度状態の継続時間が、時間閾値以上か否かを判定し、前記高照度状態の継続時間が前記時間閾値以上の場合、前記受信部を作動して受信処理を実行する受信制御部と、
前記時間閾値の値を設定する閾値設定部と、を備え、
前記閾値設定部は、前記時間閾値が上限値に設定された状態で実行された前記受信処理が受信に失敗した場合は、前記時間閾値を前記上限値よりも短い値に変更し、前記時間閾値が前記上限値よりも短い時間に設定された状態で実行された前記受信処理が受信に失敗した場合は、前記時間閾値をより長い値に変更する
ことを特徴とする電子機器。
【請求項２】
請求項１に記載の電子機器において、
前記上限値よりも短く設定された前記時間閾値の設定値を記憶する記憶部を有し、
前記閾値設定部は、前記時間閾値が前記上限値に設定された状態で実行された前記受信処理が受信に失敗した場合は、前記時間閾値を前記設定値に変更する
ことを特徴とする電子機器。
【請求項３】
請求項１に記載の電子機器において、
前記時間閾値と受信結果とを対応付けて記憶する記憶部を有し、
前記閾値設定部は、前記時間閾値が前記上限値に設定された状態で実行された前記受信処理が受信に失敗した場合は、前記記憶部に記憶された受信結果に基づいて、前記時間閾値を前記上限値よりも短い値に変更する
ことを特徴とする電子機器。
【請求項４】
請求項１から請求項３のいずれか一項に記載の電子機器において、
前記閾値設定部は、前記時間閾値が前記上限値に設定された状態で実行された前記受信処理が所定回数連続して受信に失敗した場合は、前記時間閾値を前記上限値よりも短い値に変更する
ことを特徴とする電子機器。
【請求項５】
請求項１から請求項４のいずれか一項に記載の電子機器において、
前記閾値設定部は、所定回数連続して前記受信処理が成功した場合は、前記時間閾値をより短い値に変更する
ことを特徴とする電子機器。
【請求項６】
請求項１から請求項５のいずれか一項に記載の電子機器において、
前記閾値設定部は、前記時間閾値が前記上限値に設定された状態で実行された前記受信処理が前記位置情報衛星を捕捉できずに受信に失敗した場合は、前記時間閾値を前記上限値よりも短い値に変更し、前記時間閾値が前記上限値よりも短い時間に設定された状態で実行された前記受信処理が前記位置情報衛星を捕捉できずに受信に失敗した場合は、前記時間閾値をより長い値に変更する
ことを特徴とする電子機器。
【請求項７】
請求項１から請求項６のいずれか一項に記載の電子機器において、
内部時刻を計時する計時部と、
前記受信した衛星信号に基づいて、前記内部時刻を修正する時刻修正部と、を有する
ことを特徴とする電子機器。
【請求項８】
位置情報衛星から衛星信号を受信する受信部と、照射される光の照度に関する値を検出する照度検出部と、を備える電子機器の制御方法であって、
前記照度検出部により前記照度に関する値を検出するステップと、
前記検出するステップにより検出された値に基づいて、前記照度が照度閾値以上となる高照度状態の継続時間が、時間閾値以上か否かを判定し、前記高照度状態の継続時間が前記時間閾値以上の場合、前記受信部により位置情報衛星から衛星信号を受信する受信処理を実行するステップと、
前記受信部による前記受信処理が受信に失敗した場合、前記時間閾値が上限値に設定されているか否かを判定するステップと、
前記判定するステップにより、前記時間閾値が前記上限値に設定されていると判定された場合は、前記時間閾値を前記上限値よりも短い値に変更するステップと、
前記判定するステップにより、前記時間閾値が前記上限値に設定されていないと判定された場合は、前記時間閾値をより長い値に変更するステップと、を備える
ことを特徴とする電子機器の制御方法。
【発明の詳細な説明】
【技術分野】
【０００１】
本発明は、衛星信号を受信する電子機器および電子機器の制御方法に関する。
【背景技術】
【０００２】
従来、ＧＰＳ衛星などの位置情報衛星から衛星信号を受信する電子機器において、受信処理を実行する受信開始条件を可変させることで受信成功率を向上させる電子機器が知られている（例えば、特許文献１および２参照）。
【０００３】
特許文献１の電子機器は、ソーラーセルに当たる光の照度が照度閾値レベル以上となる高照度状態が時間閾値の時間継続した場合に、電子機器に屋外で太陽光が照射されていると判定し、衛星信号を受信する受信処理を実行する。そして、当該電子機器は、受信に失敗した場合、前記時間閾値を長くして、受信開始条件を厳しくする。
【０００４】
また、特許文献２の電子機器は、特許文献１の電子機器と同様に、前記高照度状態が時間閾値の時間継続した場合に、衛星信号を受信する受信処理を実行する。この際、前記高照度状態が時間閾値だけ継続しない状態が所定時間経過した場合、つまり、衛星信号を受信する受信処理が所定時間実行されない場合、前記時間閾値を短くして、受信開始条件を緩くする。
【先行技術文献】
【特許文献】
【０００５】
【特許文献１】特開２０１２−１５００４７号公報
【特許文献２】特開２０１２−１５００４８号公報
【発明の概要】
【発明が解決しようとする課題】
【０００６】
しかしながら、特許文献１の電子機器では、例えば、室内において強い照明光が電子機器に照射されたことで屋外と誤判定して受信に失敗した場合は、時間閾値を長くしても、強い照明光に照射されている時間が長くなれば、再度屋外と誤判定するため、受信成功率を向上できない可能性がある。また、この場合、衛星信号を受信する受信処理は実行されるため、特許文献２のように時間閾値が短くなることがない。そのため、電子機器は、このような状況に長期間放置されると、時間閾値が上限値で維持されることになる。
通常、時間閾値が上限値のように長い値に設定されているほど受信成功率は高くなるが、電子機器の使用状況によっては、かえって受信成功率が低くなってしまうことがある。例えば、電子機器を携帯したユーザーが、室内から屋外に移動し、屋外を一定時間移動した後、他の建物や地下道に入った場合などが想定される。このような場合、時間閾値が適正な範囲で短ければ、ユーザーが屋外を移動している一定時間に、高照度状態であることを判定し、且つ、受信処理を完了できる場合がある。一方、時間閾値が上限値のように長い値に設定されていると、高照度状態であることを判定するまでの時間が長くなってしまうので、高照度状態を判定後、受信を開始してから完了するまでに電子機器が屋外から室内に移動されてしまい、受信に失敗してしまう場合がある。すなわち、時間閾値が長すぎることによって、受信に失敗してしまう場合がある。
このように、受信処理が失敗した場合は受信開始条件を厳しくするようにし、受信処理が所定時間実行されない場合は受信開始条件を緩くするようにしても、使用状況によっては、受信成功率を向上できない場合があった。
【０００７】
本発明の目的は、受信開始条件を電子機器の様々な使用状況に応じて設定でき、受信成功率を向上できる電子機器および電子機器の制御方法を提供することにある。
【課題を解決するための手段】
【０００８】
本発明の電子機器は、位置情報衛星から衛星信号を受信する受信部と、照射される光の照度に関する値を検出する照度検出部と、前記照度検出部により検出された値に基づいて、前記照度が照度閾値以上となる高照度状態の継続時間が、時間閾値以上か否かを判定し、前記高照度状態の継続時間が前記時間閾値以上の場合、前記受信部を作動して受信処理を実行する受信制御部と、前記時間閾値の値を設定する閾値設定部と、を備え、前記閾値設定部は、前記時間閾値が上限値に設定された状態で実行された前記受信処理が受信に失敗した場合は、前記時間閾値を前記上限値よりも短い値に変更し、前記時間閾値が前記上限値よりも短い時間に設定された状態で実行された前記受信処理が受信に失敗した場合は、前記時間閾値をより長い値に変更することを特徴とする。
【０００９】
ここで、照度検出部は、照度センサーでもよいし、電子機器が太陽電池を備えている場合には、照度に関する値として、太陽電池の開放電圧を検出するものでもよい。
また、受信に失敗した場合とは、衛星信号に基づいて時刻情報や位置情報を取得できなかった場合を意図する。
時間閾値の上限値は、設定可能な範囲において、最も長い時間に対応する値である。
本発明では、光が電子機器に照射され、高照度状態の継続時間が時間閾値以上の場合、受信制御部は、受信部を作動して受信処理を実行する。
そして、閾値設定部は、時間閾値が上限値に設定された状態で実行された受信処理が受信に失敗した場合は、時間閾値を上限値よりも短い時間に変更する。そのため、電子機器が室内において強い照明光が照射されるような環境に長期間放置される状況、すなわち、電子機器が繰り返し受信に失敗する状況においても、時間閾値が上限値で維持されることがない。そのため、電子機器が室内に長期間放置された後、当該電子機器を携帯したユーザーが屋外を一定時間移動した際などに、時間閾値が長すぎることによって、受信に失敗することを防ぐことができる。
また、閾値設定部は、時間閾値が上限値よりも短い時間に設定された状態で実行された受信処理が失敗した場合は、時間閾値をより長い値に変更する。すなわち、閾値設定部は受信を開始する条件を厳しくする。そのため、例えば、室内において、窓際などで電子機器に太陽光が瞬間的に照射したような場合に、受信処理が実行されてしまうことを防ぐことができる。
このように、本発明によれば、受信処理を実行する受信開始条件を、電子機器の様々な使用状況に応じて設定でき、受信成功率を向上できる。
【００１０】
本発明の電子機器において、前記上限値よりも短く設定された前記時間閾値の設定値を記憶する記憶部を有し、前記閾値設定部は、前記時間閾値が前記上限値に設定された状態で実行された前記受信処理が受信に失敗した場合は、前記時間閾値を前記設定値に変更することが好ましい。
時間閾値の設定値は、例えば、電子機器を工場出荷した際に設定された値などが想定され、統計的に受信成功率が高い値や設定可能な範囲における中央値などが例示される。
本発明によれば、閾値設定部は、時間閾値が上限値に設定された状態で実行された受信処理が受信に失敗した場合は、記憶部に記憶された設定値に時間閾値を変更する。そのため、閾値設定部は、例えば、統計的に受信成功率が高い値に時間閾値を変更することができ、受信成功率を向上させることができる。
【００１１】
本発明の電子機器において、前記時間閾値と受信結果とを対応付けて記憶する記憶部を有し、前記閾値設定部は、前記時間閾値が前記上限値に設定された状態で実行された前記受信処理が受信に失敗した場合は、前記記憶部に記憶された受信結果に基づいて、前記時間閾値を前記上限値よりも短い値に変更することが好ましい。
記憶部には受信結果として、例えば、時間閾値と、その時間閾値に設定された状態で実行された受信処理の受信成功回数とが対応付けられて記憶されている。また、受信結果は、電子機器の使用を開始してから累積して記憶されたものや、受信処理を開始する前の１ヶ月間や１年間といった一定期間に記憶されたものが例示される。
本発明によれば、閾値設定部は、時間閾値が上限値に設定された状態で実行された受信処理が受信に失敗した場合、記憶部の受信結果に基づいて、時間閾値を上限値よりも短い値に変更する。この際、閾値設定部は、記憶部に記憶された受信結果に基づいて時間閾値を変更するので、例えば、ユーザーの使用状況に応じた受信成功数が最も多い時間閾値や受信成功回数が所定回数以上で最も短い時間閾値に変更することができる。そのため、閾値設定部は、ユーザーの使用状況に応じて、受信成功回数が最も多い時間閾値に変更することで受信成功率を向上させたり、所定回数以上で最も短い時間に変更することで受信処理が実行されるまでの時間を短縮させたりすることができる。
【００１２】
本発明の電子機器において、前記閾値設定部は、前記時間閾値が前記上限値に設定された状態で実行された前記受信処理が所定回数連続して受信に失敗した場合は、前記時間閾値を前記上限値よりも短い値に変更することが好ましい。
受信処理で所定回数連続して受信を失敗する場合として、例えば、強い照明光が照射される室内に電子機器が長期間放置されているような場合が想定される。
このような場合において、閾値設定部は、所定回数連続して受信を失敗することを判定するので、受信開始条件以外の原因で受信に失敗した可能性が低い、すなわち、受信開始条件が適切でない可能性が高いと判断することができる。この場合、時間閾値を上限値で維持しても受信成功率は向上しないと判断できるので、閾値設定部が時間閾値をより短い値に変更することで、受信成功率を向上させることができる。
【００１３】
本発明の電子機器において、前記閾値設定部は、所定回数連続して前記受信処理が成功した場合は、前記時間閾値をより短い値に変更することが好ましい。
受信処理で所定回数連続して受信に成功した場合、受信に成功しやすい使用状況にあると判断できる。このような場合、時間閾値を短くしても、すなわち、受信を開始する条件を緩くしても、ただちに受信に失敗する可能性は低いと判断できる。そのため、閾値設定部が時間閾値をより短い値に変更することで、受信開始条件に該当したか否かの判定に係る時間を短くでき、受信処理が実行されるまでの時間を短縮できる。
【００１４】
本発明の電子機器において、前記閾値設定部は、前記時間閾値が前記上限値に設定された状態で実行された前記受信処理が前記位置情報衛星を捕捉できずに受信に失敗した場合は、前記時間閾値を前記上限値よりも短い値に変更し、前記時間閾値が前記上限値よりも短い時間に設定された状態で実行された前記受信処理が前記位置情報衛星を捕捉できずに受信に失敗した場合は、前記時間閾値をより長い値に変更することが好ましい。
位置情報衛星を捕捉したが受信に失敗した場合は、屋外で受信を開始したものの、受信開始条件以外の原因で受信に失敗した可能性がある。このような場合は、受信開始条件を変更せず、現在の受信開始条件を維持することで、受信頻度を維持できる。
一方、受信処理で位置情報衛星を捕捉できなかった場合は、受信に失敗した原因が、例えば、屋内において照明光が電子機器に照射されたことで電子機器が受信処理を実行したことによるものである可能性があると判断できる。この場合、時間閾値を上限値で維持しても受信成功率は向上しないと判断できるので、閾値設定部は、時間閾値が上限値に設定されていれば、時間閾値をより短い時間に変更する。これにより、時間閾値が長すぎることによって受信が失敗してしまうことを防ぐことができる。
【００１５】
本発明の電子機器において、内部時刻を計時する計時部と、前記受信した衛星信号に基づいて、前記内部時刻を修正する時刻修正部と、を有することが好ましい。
本発明の電子機器は、時刻修正部が受信した衛星信号から時刻情報を取得することができ、この時刻情報に基づいて内部時刻を修正することができるので、時刻表示精度の高い電子時計として利用できる。
【００１６】
本発明は、位置情報衛星から衛星信号を受信する受信部と、照射される光の照度に関する値を検出する照度検出部と、を備える電子機器の制御方法であって、前記照度検出部により前記照度に関する値を検出するステップと、前記検出するステップにより検出された値に基づいて、前記照度が照度閾値以上となる高照度状態の継続時間が、時間閾値以上か否かを判定し、前記高照度状態の継続時間が前記時間閾値以上の場合、前記受信部により位置情報衛星から衛星信号を受信する受信処理を実行するステップと、前記受信部による前記受信処理が受信に失敗した場合、前記時間閾値が上限値に設定されているか否かを判定するステップと、前記判定するステップにより、前記時間閾値が前記上限値に設定されていると判定された場合は、前記時間閾値を前記上限値よりも短い値に変更するステップと、前記判定するステップにより、前記時間閾値が前記上限値に設定されていないと判定された場合は、前記時間閾値をより長い値に変更するステップと、を備えることを特徴とする。
本発明によれば、受信処理を実行する受信開始条件を、電子機器の様々な使用状況に応じて設定でき、受信成功率を向上できる。
【図面の簡単な説明】
【００１７】
【図１】本発明に係る第１実施形態の電子時計を示す概略図。
【図２】第１実施形態における電子時計の正面図。
【図３】第１実施形態における電子時計の断面図。
【図４】第１実施形態における電子時計の回路構成を示すブロック図。
【図５】第１実施形態における制御回路での処理を示すフローチャート。
【図６】充電状態検出、開放電圧検出、受信処理の作動タイミングを説明する図。
【図７】電子時計のソーラーセルに当たる光の照度とソーラーセルの開放電圧との関係を示すグラフ。
【図８】判定回数と時間閾値との関係を示す図。
【図９】本発明に係る第２実施形態の制御回路での処理を示すフローチャート。
【図１０】本発明に係る第３実施形態の制御回路での処理を示すフローチャート。
【図１１】第３実施形態における判定回数と受信成功回数の関係を示す図。
【図１２】本発明に係る第４実施形態の制御回路での処理を示すフローチャート。
【発明を実施するための形態】
【００１８】
［第１実施形態］
以下、本発明の第１実施形態に係る電子時計１について、図面に基づいて説明する。
図１は、本実施形態の電子時計１を示す概略図である。
電子時計１は、電子機器の一例であり、地球の上空を所定の軌道で周回している複数のＧＰＳ（Global Positioning System）衛星１００のうち、少なくとも１つのＧＰＳ衛星１００から衛星信号を受信して時刻情報を取得し、少なくとも３つのＧＰＳ衛星１００から衛星信号を受信して位置情報を算出して取得するように構成されている。なお、ＧＰＳ衛星１００は、位置情報衛星の一例であり、地球の上空に複数存在している。現在は約３０基のＧＰＳ衛星１００が周回している。
【００１９】
［電子時計の概略構成］
図２は、電子時計１の正面図であり、図３は、電子時計１の概略を示す断面図である。
電子時計１は、外装ケース３０と、カバーガラス３３と、裏蓋３４とを備えている。外装ケース３０は、金属で形成された円筒状のケース３１（金属ケース）に、ベゼル３２が嵌合されて構成されている。ベゼル３２は金属で形成されていてもセラミックで形成されていても良い。セラミックであれば、非導電性であり導電率が低いので、電波をシールドしない。ベゼル３２の内周側には、非導電性の樹脂で形成されたリング状のダイヤルリング３５と、ポリカーボネートなどの非導電性部材にて円盤状に形成されている文字板１１とが時刻表示部分として配置されている。
外装ケース３０の側面には、文字板１１の平面中心より、２時方向の位置にＡボタン２と、４時方向の位置にＢボタン３と、３時方向の位置にリューズ４とが設けられている。
【００２０】
外装ケース３０の２つの開口のうち、表面側の開口は、ベゼル３２を介してカバーガラス３３で塞がれており、裏面側の開口は金属で形成された裏蓋３４で塞がれている。
外装ケース３０の内側には、ベゼル３２の内周に取り付けられているダイヤルリング３５と、光透過性を有する文字板１１と、指針２１，２２，２３，２４と、指針２１〜２３が取り付けられる指針軸２５（同軸上に設けられた３つの指針軸）と、指針２４が取り付けられる指針軸２６とが備えられている。さらに、太陽電池５０と、ＧＰＳアンテナ１１０と、文字板受けリング１２６と、地板１２５と、日車１２７と、日車押さえ１２８と、指針２１〜２４を駆動する駆動機構１４０などとが備えられている。
指針軸２５は、外装ケース３０の平面中心を通り、表裏方向に延在する中心軸に沿って設けられている。指針軸２６は、前記中心から６時方向にずれた位置を通り、前記中心軸に沿って設けられている。
【００２１】
ダイヤルリング３５は、外周端が、ベゼル３２の内周面に接触しているとともに、カバーガラス３３と平行な平板部分と、文字板１１側へ傾斜した傾斜部分とを備えている。
【００２２】
文字板１１は、外装ケース３０の内側で時刻を表示する円形の板材であり、非導電性材料である樹脂などの光透過性を有する材料で形成され、カバーガラス３３との間に指針２１〜２４などを備え、ダイヤルリング３５よりも裏面側に配置されている。
文字板１１の表面側には、ロゴ１２が設けられる。ロゴ１２は、製品名やメーカー名を示す文字や数字やマークであり、樹脂などの非導電性部材または導電性部材によって形成される。ロゴ１２は印刷で形成しても良い。ロゴ１２は、太陽電池５０の表面側にあると、太陽電池５０に入射する光量が減少してしまうため、平面視において太陽電池５０と重ならない位置に配置されることが望ましい。
ここで、文字板１１に対して垂直な方向から電子時計１を構成する部材を見ることを、平面視と称する。
ロゴ１２が、導電性の材料で形成され、かつ、平面視においてＧＰＳアンテナ１１０と重なる場合は、ロゴ１２は、電波の受信に影響のない位置に配置したり、当該影響のない大きさで形成したりすることが望ましい。
【００２３】
文字板１１の裏面側には、太陽電池５０が備えられている。太陽電池５０は、文字板１１と地板１２５との間に配置されている。文字板１１の表面側から文字板１１を通して太陽電池５０を見たときには、文字板１１の光透過率は約３０％以下程度に設定されるため、完全に文字板１１が透けるということはないが、太陽電池５０に部分的な色の違いがある場合は、その色の違いが識別されてしまう。太陽電池５０の部分的な色の違いが僅かである場合は、色の違いは認識されない。また、文字板１１の表面側から見たときの文字板１１全体の質感が統一される。なお、文字板１１を表面側から見たときに太陽電池５０が透けにくくするため、文字板１１と太陽電池５０との間に、光の一部を透過し一部を反射する半透過性のシートを設けてもよい。
太陽電池５０は、文字板１１を透過して入射した光の光エネルギーを電気エネルギー（電力）に変換する光発電を行う複数の図示略のソーラーセルを有する。また、太陽電池５０は、光の検出機能も有している。太陽電池５０の詳細については後述する。
文字板１１は、太陽電池５０によって多くの電気エネルギーを得るためには、光透過率を高くし、より装飾性を高めるため、太陽電池５０が透けて見えにくくする場合には、光透過率を低くする。太陽電池５０が透けて見えたとしても太陽電池５０の全体の色が均一であれば、装飾性を損なうことがないので、光透過率を高めて太陽エネルギーを沢山得ることが可能となる。より沢山の太陽エネルギーを二次電池１３０（図４参照）に蓄える事ができるようになると電子時計１の電池寿命やＧＰＳ受信などの消費電流の多い機能を有効に使うことが可能となる。
なお、外装ケース３０の内側には、太陽電池５０を固定する案内板（図示略）が設けられている。案内板には、太陽電池５０を位置決めする位置決め部が設けられている。案内板は、太陽電池５０の裏面側に設けられ、当該案内板によって太陽電池５０が補強され、反りが低減される。案内板は、非導電性材料であるポリカーボネートまたは金属板で形成される。金属板で形成される場合は、ＧＰＳアンテナ１１０が受信する電波をシールドしないよう、平面視でＧＰＳアンテナ１１０と重ならない形状で形成される。
【００２４】
図３に示すように、太陽電池５０の裏面側には、電波を受信するＧＰＳアンテナ１１０が備えられている。
ＧＰＳ衛星１００は、右旋円偏波で衛星信号を送信している。そのため、ＧＰＳアンテナ１１０は、円偏波特性に優れるパッチアンテナ（マイクロストリップアンテナともいう）で構成されている。
【００２５】
文字板１１の裏面側には、さらに、文字板１１を保持する文字板受けリング１２６が備えられている。文字板受けリング１２６は、樹脂で形成されている。文字板受けリング１２６は、外装ケース３０の内周面に沿ったリング形状を有する。太陽電池５０は、平面視において、文字板受けリング１２６の内周面の内側に配置されている。
【００２６】
地板１２５と太陽電池５０との間には、日車１２７と、日車１２７を保持する日車押さえ１２８とが備えられている。日車１２７および日車押さえ１２８は、非導電性の樹脂で形成されている。
【００２７】
文字板１１、太陽電池５０、日車押さえ１２８および地板１２５には、指針軸２５，２６が貫通する孔が形成されている。また、文字板１１および太陽電池５０には、カレンダー小窓１９（図２参照）の開口部が形成されている。
【００２８】
地板１２５は、非導電性の樹脂で形成されており、駆動機構１４０の取り付け部を有している。駆動機構１４０は、地板１２５に取り付けられ、回路基板１２０で裏面側から覆われている。駆動機構１４０は、ステップモーターと歯車などの輪列とを有し、当該ステップモーターが当該輪列を介して指針軸２５，２６を回転させることにより、指針２１〜２４が駆動する。
【００２９】
回路基板１２０には、ＧＰＳ受信回路４５、制御回路４７およびＧＰＳアンテナ１１０が設けられている。また、回路基板１２０は、太陽電池５０が発電した電力で充電されるリチウムイオン電池などの二次電池１３０（図４参照）に接続されている。
回路基板１２０の裏面側には、回路押え１２３が設けられている。
【００３０】
［電子時計の表示機構］
図２に示すように、文字板１１の外周部を囲むダイヤルリング３５の内周側には、内周を６０分割にする目盛が表記されている。この目盛を用いて、指針２１は通常時に「秒」を表示し、指針２２は「分」を表示し、指針２３は「時」を表示する。
また、ダイヤルリング３５には、１２分位置にアルファベットの「Ｙ」と、１８分位置にアルファベットの「Ｎ」の英字が表記されている。この英字は、ＧＰＳ衛星１００から受信した衛星信号に基づく各種情報の受信（取得）結果（Ｙ：受信（取得）成功、Ｎ：受信（取得）失敗）を示す。指針２１は、「Ｙ」および「Ｎ」のいずれか一方を指示し、衛星信号の受信結果を表示する。なお、受信結果の表示は、Ａボタン２を１秒未満押すことで行われる。
【００３１】
指針２４は、文字板１１の平面中心から６時方向の位置に設けられた指針軸２６に取り付けられている。文字板１１における指針２４の回転領域の外側には、数字や英字や記号が設けられており、指針２４は、これらを指示することで、電池残量や、曜日や、ＤＳＴのＯＮ／ＯＦＦや、太陽電池５０による光検出等の情報を表示する。なお、指針２４は、通常時は電池残量を表示している。
【００３２】
カレンダー小窓１９は、文字板１１を矩形状に開口した開口部に設けられており、開口部から、日車１２７に表記された数字が視認可能となっている。この数字は、年月日の「日」を表す。なお、文字板１１の開口部に合わせるように、太陽電池５０にも矩形状に開口した開口部が設けられている。
【００３３】
また、ダイヤルリング３５には、内周側の目盛に沿って、協定世界時（ＵＴＣ）との時差を表す時差情報３６が、数字と数字以外の記号とで表記されている。数字の時差情報３６は整数の時差であり、記号の時差情報３６は整数以外の時差であることを表している。指針２１〜２３で表示された時刻と、ＵＴＣとの時差は、Ｂボタン３を押すことにより指針２１が指し示す時差情報３６で確認することができる。
また、ダイヤルリング３５の周囲に設けられているベゼル３２には、ダイヤルリング３５に表記されている時差情報３６の時差に対応した標準時を使用しているタイムゾーンの代表都市名を表す都市情報３７が、時差情報３６に併記されている。ここで、時差情報３６や都市情報３７の表記をタイムゾーン表示という。本実施形態では、全世界で使用されているタイムゾーンの数と等しいタイムゾーン表示が表記されている。なお、図２に示す都市名の表記は一例であり、都市名は、タイムゾーンの変更に応じて適宜変更されることがある。
【００３４】
［電子時計の回路構成］
図４は、電子時計１の回路構成を示すブロック図である。この図に示すように、電子時計１は、太陽電池５０と、二次電池１３０と、ＧＰＳ受信回路４５と、時計部４６と、制御回路４７と、ダイオード４１と、充電制御用スイッチ４２と、充電状態検出回路４３と、電圧検出回路４４とを備えている。なお、太陽電池５０、充電状態検出回路４３および電圧検出回路４４からなる構成は、本発明の照度検出部の一例である。
【００３５】
ダイオード４１は、太陽電池５０と二次電池１３０とを電気的に接続する経路に設けられ、太陽電池５０から二次電池１３０への電流（順方向電流）を遮断せずに、二次電池１３０から太陽電池５０への電流（逆方向電流）を遮断する。なお、順方向電流が流れるのは、二次電池１３０の電圧よりも太陽電池５０の電圧が高い場合、すなわち充電時に限られる。また、ダイオード４１に代えて電界効果トランジスター（ＦＥＴ）を採用してもよい。
【００３６】
充電制御用スイッチ４２は、太陽電池５０から二次電池１３０への電流の経路を接続および切断するものであり、太陽電池５０と二次電池１３０とを電気的に接続する経路に設けられたスイッチング素子４２１を備えている。スイッチング素子４２１がオフ状態からオン状態に遷移するとオン（接続）し、スイッチング素子４２１がオン状態からオフ状態へ遷移するとオフ（切断）する。
例えば、過充電により電池特性が劣化する状態にならないよう、二次電池１３０の電池電圧が所定値以上となる場合には、制御回路４７から出力される２値の制御信号ＣＴＬ３に基づいて、充電制御用スイッチ４２をオフする。なお、この場合、後述する電圧検出回路４４は、制御回路４７から出力される制御信号ＣＴＬ２に基づいて動作が停止されている。
【００３７】
スイッチング素子４２１は、ｐチャネル型のトランジスターであり、ゲート電圧Ｖｇ１がローレベルの場合にはオン状態となり、ハイレベルの場合にはオフ状態となる。ゲート電圧Ｖｇ１は、制御回路４７に制御される。
【００３８】
充電状態検出回路４３は、制御回路４７から出力される充電状態の検出タイミングを指定する２値の制御信号ＣＴＬ１に基づいて作動し、太陽電池５０から二次電池１３０への充電の状態（充電状態）を検出し、検出結果ＲＳ１を制御回路４７へ出力する。充電状態は「充電中」または「非充電中」であり、その検出は電池電圧ＶＣＣと充電制御用スイッチ４２がオンのときの太陽電池５０のＰＶＩＮとに基づいて行われる。例えば、ダイオード４１の降下電圧をＶｔｈとし、スイッチング素子４２１のオン抵抗を無視したとき、ＰＶＩＮ−Ｖｔｈ＞ＶＣＣの場合には「充電中」と判定し、ＰＶＩＮ−Ｖｔｈ≦ＶＣＣの場合には「非充電中」と判定することができる。
【００３９】
本実施形態では、制御信号ＣＴＬ１は、周期が５秒のパルス信号であり、充電状態検出回路４３は、制御信号ＣＴＬ１がハイレベルの期間において充電状態の検出を行う。つまり、充電状態検出回路４３は、充電制御用スイッチ４２を接続状態に維持したまま、充電状態の検出を５秒周期で繰り返し行う。
【００４０】
なお、充電状態の検出を間欠的に行うのは、充電状態検出回路４３の消費電力量を低減するためである。この低減が不要であれば、充電状態が連続的に検出されるようにしてもよい。充電状態検出回路４３は、例えば、コンパレーター、Ａ／Ｄコンバーター等を用いて構成することができる。
【００４１】
電圧検出回路４４は、制御回路４７から出力される電圧の検出タイミングを指定する２値の制御信号ＣＴＬ２に基づいて作動し、太陽電池５０の端子電圧ＰＶＩＮ、すなわち、太陽電池５０の開放電圧を検出する。なお、電圧検出回路４４が開放電圧を検出している期間、制御回路４７から出力される制御信号ＣＴＬ３に基づいて、充電制御用スイッチ４２はオフとされている。また、電圧検出回路４４は、開放電圧の検出結果ＲＳ２を制御回路４７へ出力する。
【００４２】
受信部としてのＧＰＳ受信回路４５は、ＧＰＳアンテナ１１０に接続され、ＧＰＳアンテナ１１０を介して受信した衛星信号を処理してＧＰＳ時刻情報や位置情報を取得する。
そして、ＧＰＳ受信回路４５は、図示を略すが、通常のＧＰＳ装置と同様に、ＧＰＳ衛星１００から送信される衛星信号を受信してデジタル信号に変換するＲＦ（Radio Frequency）部と、受信信号の相関判定を実行して航法メッセージを復調するＢＢ部（ベースバンド部）と、ＢＢ部で復調された航法メッセージ（衛星信号）からＧＰＳ時刻情報や位置情報（測位情報）を取得して出力する情報取得手段と、を備えている。なお、航法メッセージは既知であるため説明を省略する。
【００４３】
時計部４６は、計時部の一例であり、二次電池１３０に蓄積された電力で駆動されて計時処理を行う。計時処理では、内部時刻を計時する一方、駆動機構１４０を駆動させることで、内部時刻に応じた時刻（第１時刻および第２時刻）を電子時計１の表面に表示させる。
ここで、時計部４６が計時する内部時刻は、ＧＰＳ受信回路４５が衛星信号を受信し、受信した衛星信号を処理することで取得したＧＰＳ時刻情報や位置情報に基づいて修正される。すなわち、時計部４６は、時刻修正部の一例でもある。
【００４４】
制御回路４７は、電子時計１を制御するＣＰＵで構成されている。制御回路４７は記憶部４８に接続され、当該記憶部４８に格納された各種プログラムを実行することで、受信制御部４７１、閾値設定部４７２として機能する。
受信制御部４７１は、受信を実行する条件である受信開始条件に該当すると、ＧＰＳ受信回路４５を作動して受信処理を実行する。閾値設定部４７２は、受信開始条件を構成する後述する照度閾値および時間閾値を設定する。記憶部４８には、後述する時間閾値の設定値などが記憶されている。なお、各機能については、以降の制御回路４７の動作説明のなかで詳述する。
【００４５】
［制御回路の動作］
このような電子時計１における制御回路４７の動作について、図５のフローチャートに基づき説明する。なお、図５のフローチャートに示される制御回路４７の動作は、本発明の電子時計１の制御方法の一例である。
制御回路４７は、毎日０時０分０秒に制御を始める。まず、受信制御部４７１は、一定周期で充電状態検出回路４３を作動する（ＳＡ１）。本実施形態では、図６に示すように、受信制御部４７１は、５秒間隔の制御信号ＣＴＬ１を出力し、充電状態検出回路４３を作動している。制御信号ＣＴＬ１が入力されると、充電状態検出回路４３は、充電状態であるか否かを示す検出結果ＲＳ１を制御回路４７に出力する。このため、受信制御部４７１は、充電中であるか否かを判定する（ＳＡ２）。なお、充電制御用スイッチ４２は、後述するように、電圧検出回路４４が作動されるタイミングのみオフに切り替えられる。
【００４６】
［非充電状態での制御］
電子時計１に当たる光が少なく、太陽電池５０で発電が行われていない場合、充電状態検出回路４３は「非充電中」の検出結果ＲＳ１を制御回路４７に出力する。この場合、受信制御部４７１は、充電中ではない（ＳＡ２：Ｎｏ）と判定し、制御回路４７からはローレベルの制御信号ＣＴＬ２を出力する。
したがって、ＳＡ２でＮｏと判定された場合、受信制御部４７１は、電子時計１が屋外に配置されておらず、衛星信号の受信に適した場所に配置されていない可能性が高いと判断できる。
【００４７】
［充電状態での制御］
一方、受信制御部４７１は、ＳＡ２で充電状態である（ＳＡ２：Ｙｅｓ）と判定された場合、電圧検出回路４４を作動する（ＳＡ３）。この際、充電制御用スイッチ４２は、受信制御部４７１によってオフ状態に切り替えられる。すなわち、受信制御部４７１は、充電状態検出回路４３で充電中であることを検出すると、５秒間隔の制御信号ＣＴＬ２を出力し、電圧検出回路４４を作動する。この際、充電制御用スイッチ４２は、制御回路４７からの制御信号ＣＴＬ３によってオフ状態に制御されるので、太陽電池５０および電圧検出回路４４は、二次電池１３０とは切り離される。このため、電圧検出回路４４は、二次電池１３０の充電電圧の影響を受けることなく、太陽電池５０に当たる光の照度に対応する開放電圧を検出できる。ここで、この開放電圧は、本発明の照度に関する値の一例である。
なお、充電制御用スイッチ４２がオフ状態では充電状態検出回路４３によって充電状態を検出できない。このため、受信制御部４７１は、充電状態検出回路４３に対する制御信号ＣＴＬ１の出力タイミングと、電圧検出回路４４に対する制御信号ＣＴＬ２の出力タイミングとが一致しないように、制御信号ＣＴＬ１と制御信号ＣＴＬ２の出力タイミングをずらしている。
【００４８】
本実施形態では、電圧検出回路４４で検出される開放電圧は、図７に示すように、太陽電池５０における照度が高くなるほど高くなる。
また、太陽電池５０の開放電圧の代わりに太陽電池５０の短絡電流を、太陽電池５０に当たる光の照度に対応する値として検出する構成を用いてもよい。なお、短絡電流を検出する構成においても、開放電圧を検出する構成と同様に、充電制御用スイッチ４２をオフにして太陽電池５０と二次電池１３０とを電気的に切断することで、二次電池１３０の影響を受けないようにする必要がある。
このような開放電圧および短絡電流は、太陽電池５０における出力値と相関関係がある。そこで、本実施形態では、検出値として開放電圧や短絡電流を検出している。
なお、照度に関する値は、太陽電池５０の開放電圧や短絡電流の検出値に限られるものではなく、例えば、照度センサーを別途設け、当該照度センサーにより検出された値であってもよい。
【００４９】
受信制御部４７１は、電圧検出回路４４から出力される検出結果ＲＳ２により、開放電圧に対応する検出レベルが閾レベル以上であることが、あらかじめ設定された判定回数連続して判定されたか否かを判定する（ＳＡ４）。
閾レベルは、あらかじめ設定された照度閾値に対応した値に設定されている。通常、蛍光灯下において太陽電池５０に照射された場合の光の照度は通常５００〜１０００ルクスであるのに対し、太陽光が太陽電池５０に照射された場合の光の照度は通常３０００ルクス以上となる。そこで、例えば、図７に示す開放電圧と照度との関係から、３０００ルクス以上に相当する５．２Ｖ以上の開放電圧が検出された場合を高照度状態とし、この開放電圧に対応する検出レベルを閾レベルとして設定されている。
また、判定回数は、時間閾値に対応した値に設定されている。ここで、判定回数と時間閾値との関係は、例えば、図８に示すように記憶部４８に記憶されている。なお、図８の関係は、５秒間隔で開放電圧を検出した場合を示している。例えば、時間閾値が１０秒の場合は、判定回数は「２」に設定される。
本実施形態では、時間閾値は、５秒未満、５秒以上１０秒未満、…２５秒以上３０秒未満の６段階に設定可能とされている。すなわち、判定回数は、「１」〜「６」の６段階に設定可能とされている。つまり、時間閾値の上限値は、設定可能な範囲において、最も長い時間である２６秒以上３０秒未満に対応する判定回数「６」である。また、時間閾値の下限値は、設定可能な範囲において、最も短い時間である５秒未満に対応する判定回数「１」である。
すなわち、受信制御部４７１は、判定回数が連続して高照度状態と判定されたか否かを判定することで、高照度状態の継続時間が、時間閾値以上であるか否かを判定する。
なお、判定回数と時間閾値との関係は、図８に示す関係に限定されず、電圧検出の間隔に応じて変化する。例えば、２秒間隔で開放電圧を検出した場合には、判定回数が「５」であれば時間閾値は「９秒以上１０秒未満」となる。
また、後述するように、判定回数は値が多くなったり少なくなったりするが、本実施形態では、１１秒以上１５秒未満に対応する判定回数である「３」が設定値として記憶部４８に記憶されている。すなわち、記憶部４８には、時間閾値の設定値として「３」が記憶されている。この記憶部４８に記憶された設定値は、例えば、電子時計１を工場出荷した際の値や、ユーザーが生活スタイルに合わせて設定した値などであり、統計的に受信成功率が高い値やユーザーにとって利便性の高い値などが例示される。
【００５０】
ＳＡ２，ＳＡ４のいずれかでＮｏと判定された場合には、受信制御部４７１は、現在の時刻が、制御回路４７が制御を始めた日の２３時５９分５５秒か否か判定する（ＳＡ５）。ここで、本実施形態では、図６に示すように、受信制御部４７１は、５秒間隔で充電状態の検出（ＳＡ１）および検出レベルの判定（ＳＡ４）を実行しており、これに合わせてＳＡ５を実行する。すなわち、０時０分０秒から始まる２４時間の期間において、内部時刻が０時０分０秒、０時０分５秒、０時０分１０秒、０時０分１５秒となるような５秒間隔のタイミングでＳＡ５が実行される。これにより、受信制御部４７１は、その期間における５秒間隔の最後のタイミングである２３時５９分５５秒か否かを判定する。このようにして、受信制御部４７１は、受信処理を行わずに、あらかじめ設定された所定期間が経過したか否か判定する。この場合、所定期間は、０時０分０秒からはじまる２４時間の期間である。そして、ＳＡ５でＮｏと判定された場合は、ＳＡ１に戻り、一定周期で充電状態検出回路４３を作動する。
【００５１】
一方で、ＳＡ５でＹｅｓと判定された場合は処理を終了し、次に処理が開始される制御再開時間まで待機状態に移行する。ここで、制御再開時間は次の日の０時０分０秒である。
【００５２】
次に、ＳＡ４でＹｅｓと判定された場合には、受信制御部４７１は、ＧＰＳ受信回路４５を作動してＧＰＳ衛星１００から衛星信号を受信する受信処理を開始する（ＳＡ６）。
なお、ＳＡ６で開始される受信処理は、ＳＡ４でＹｅｓと判定された場合に自動的に行われる自動受信処理である。この自動受信処理では、測時モードでの受信処理が行われる。すなわち、測位モードでは、位置を検出するために３個以上のＧＰＳ衛星１００から信号を受信しなければならず、受信処理時間も長くなる。このため、信号受信が終了するまで電子時計１を屋外に配置しておくことが好ましいが、自動受信処理ではユーザーが受信中であることに気がつかず、受信中であっても屋内に移動してしまうおそれもある。このため、測位モードでの受信は、ユーザーが意図して受信操作を行った場合のみ、つまり強制受信処理時のみ行うことが好ましい。
一方、測時モードでは、１つのＧＰＳ衛星１００からの信号受信でも時刻情報を取得でき、受信処理時間も短くできる。したがって、ユーザーが意図しなくても、受信処理を実行することができ、自動受信処理に適している。
【００５３】
閾値設定部４７２は、ＳＡ６で開始される受信処理により受信に成功したか否かを判定する（ＳＡ７）。
なお、ＧＰＳ受信回路４５では、まず、ＧＰＳ衛星１００の検索を行い、ＧＰＳ受信回路４５で衛星信号を検出する。そして、衛星信号を検出した場合（ＧＰＳ衛星１００を捕捉した場合）には、引き続き衛星信号の受信を継続し、時刻情報を受信する。このように時刻情報を受信できた場合には、受信に成功したと判定する。それ以外の場合、すなわち、ＧＰＳ受信回路４５で衛星信号が検出されない場合や、時刻情報を受信できなかった場合には、受信に失敗したと判定する。
そして、閾値設定部４７２は、受信に成功した（ＳＡ７：Ｙｅｓ）と判定された場合には、所定回数、連続して受信に成功しているか否かを判定する（ＳＡ８）。所定回数は、例えば３回である。ここで、本実施形態では、ＳＡ４でＹｅｓと判定された場合に、受信処理を１日に１回実行する。そのため、例えば、閾値設定部４７２は、１日に１回実行される受信処理が３日間連続して成功したか否かを判定する。この際、ＳＡ５でＹｅｓと判定された場合、すなわち、１日の間に受信処理が実行されない場合、閾値設定部４７２は受信成功回数をカウントしない。例えば、１、２日目に受信処理に成功すると、受信成功回数は２回となる。その後、３日目に受信処理が実行されない場合、受信成功回数は２回の状態で維持される。そして、４日目に受信処理に成功した場合、受信成功回数が３回となる。一方、４日目に受信処理に失敗した場合、受信成功回数は０回に戻る。
なお、所定回数は３回に限られるものではなく、例えば、２回であってもよく、また、４回以上であってもよい。
ＳＡ８でＹｅｓと判定された場合、閾値設定部４７２は、判定回数を１ダウン、つまり、判定回数が１回分少なくなるように設定し直す（ＳＡ９）。すなわち、閾値設定部４７２は、時間閾値をより短い値に変更する。そして、時計部４６は、ＧＰＳ受信回路４５で受信した衛星信号に基づいて内部時刻を修正する（ＳＡ１０）。
【００５４】
ＳＡ８でＮｏと判定された場合、閾値設定部４７２は、判定回数が下限値か否かを判定する（ＳＡ１１）。
そして、ＳＡ１１でＮｏと判定された場合、閾値設定部４７２は、受信成功回数を１アップ、つまり、受信成功回数を１回分増加させ（ＳＡ１２）、その後、ＳＡ１０で内部時刻を修正する。
一方、ＳＡ１１でＹｅｓと判定された場合、受信成功回数を変更することなく、ＳＡ１０で内部時刻を修正する。つまり、判定回数が下限値「１」の場合は、受信成功回数が変更されないので、受信成功回数が所定回数である３回に到達することがなく、判定回数が下限値よりも少なくなるように設定されることがない。
【００５５】
ＳＡ１０で内部時刻が修正された後、制御回路４７は処理を終了し、制御再開時間まで待機状態に移行する。
【００５６】
一方で、受信に失敗した（ＳＡ７：Ｎｏ）と判定された場合には、閾値設定部４７２は、設定されている判定回数が上限値「６」であるか否かを判定する（ＳＡ１３）。
ＳＡ１３でＮｏと判定された場合、閾値設定部４７２は、判定回数を１アップ、つまり、判定回数が１回分多くなるように設定し直す（ＳＡ１４）。すなわち、閾値設定部４７２は、時間閾値が上限値よりも短い時間に設定された状態で実行された受信処理が失敗した場合は、時間閾値をより長い値に変更する。
【００５７】
一方、ＳＡ１３でＹｅｓと判定された場合、閾値設定部４７２は、判定回数をあらかじめ設定された設定値である「３」に変更する（ＳＡ１５）。すなわち、閾値設定部４７２は、受信に失敗した（ＳＡ７：Ｎｏ）と判定され、設定されている判定回数が上限値「６」である（Ｓ１３：Ｙｅｓ）と判定された場合に、判定回数を記憶部４８に記憶された設定値である「３」に変更する。ここで、設定値である「３」は、上限値である「６」よりも短い値である。すなわち、閾値設定部４７２は、時間閾値が上限値に設定された状態で実行された受信処理が失敗した場合は、時間閾値を上限値よりも短い値に変更する。
ＳＡ１４、または、ＳＡ１５の後、閾値設定部４７２は、受信成功回数を「０」に戻す（ＳＡ１６）。すなわち、受信成功回数は、連続して受信に成功した回数であり、１回でも受信に失敗した場合は、受信成功回数を「０」に戻す。そして、制御回路４７は、処理を終了し、制御再開時間まで待機状態に移行する。
【００５８】
［第１実施形態の作用効果］
このような本実施形態によれば、以下の効果を得ることができる。
本実施形態では、閾値設定部４７２は、時間閾値が上限値に設定された状態で実行した受信処理が受信に失敗した場合は、時間閾値を上限値よりも短い時間に変更する。そのため、電子時計１が、室内において強い照明光が照射されるような環境に長期間放置される状況、すなわち、電子時計１が繰り返し受信に失敗する状況においても、時間閾値は上限値で維持されることがない。そのため、電子時計１が室内に長期間放置された後、電子時計１を携帯したユーザーが屋外を一定時間移動した際などに、時間閾値が長すぎることによって、受信に失敗することを防ぐことができる。
また、閾値設定部４７２は、時間閾値が上限よりも短い時間に設定された状態で実行された受信処理が失敗した場合は、時間閾値をより長い値に変更する。そのため、例えば、室内において、窓際などで電子時計１に太陽光が瞬間的に照射したような場合に、受信処理が実行されてしまうことを防ぐことができる。
このように、本実施形態よれば、受信処理を実行する受信開始条件を、電子時計１の様々な使用状況に応じて設定でき、受信成功率を向上できる。
【００５９】
本実施形態では、閾値設定部４７２は、時間閾値が上限値に設定された状態で実行された受信処理が受信に失敗した場合、時間閾値を記憶部４８に記憶された設定値に変更する。この設定値は、統計的に受信成功率が高い値であり、工場出荷の際に設定された値である。そのため、受信成功率を向上させることができる。
【００６０】
本実施形態では、閾値設定部４７２は、受信処理で所定回数連続して受信に成功した場合は、時間閾値をより短い値に変更する。
ここで、受信処理で所定回数連続して受信に成功した場合、受信に成功しやすい使用状況にあると判断できる。このような場合、時間閾値を短くしても、すなわち、受信を開始する条件を緩くしても、ただちに受信に失敗する可能性は低いと判断できる。そのため、閾値設定部４７２が時間閾値をより短い値に変更することで、受信開始条件に該当したか否かの判定に係る時間を短くでき、受信処理が実行されるまでの時間を短縮できる。
また、本実施形態では、ＳＡ４でＹｅｓと判定された場合、受信処理を１日に１回実行する。ここで、電子時計１のユーザーは、毎朝の出勤時に屋外を移動する生活パターンを有する場合が多い。このようなユーザーの場合、毎朝の出勤時に受信処理が実行されることが想定される。そうすると、同じような受信環境で受信処理が実行される可能性が高く、ＳＡ８で所定回数連続して成功する可能性が高い。そのため、閾値設定部４７２は、ユーザーの生活パターンに合わせて時間閾値を変更することができる。
【００６１】
本実施形態では、時計部４６が受信した衛星信号から時刻情報を取得することができ、この時刻情報に基づいて内部時刻を修正することができるので、時刻表示精度の高い電子時計１として利用できる。
【００６２】
［第２実施形態］
次に、本発明の第２実施形態を図面に基づいて説明する。
なお、本実施形態の電子時計１の構造は、前記第１実施形態と同様であるから、その詳細な説明は省略または簡略化する。
【００６３】
図９は、第２実施形態における制御回路４７での処理を示すフローチャートである。
本実施形態では、前記第１実施形態に対して、受信処理でＧＰＳ衛星１００を捕捉したが受信に失敗した場合は、時間閾値を維持する点で異なる。なお、ＳＢ１〜ＳＢ１５の処理は、第１実施形態におけるＳＡ１〜ＳＡ１５の処理と同様である。
【００６４】
本実施形態では、受信に失敗したと判定された場合（ＳＢ７：Ｎｏ）、閾値設定部４７２は、受信成功回数を「０」に戻す（ＳＢ１７）。
そして、閾値設定部４７２は、ＧＰＳ衛星１００が存在したか否か、すなわち、ＧＰＳ衛星１００を捕捉できたか否かを判定する（ＳＢ１８）。
ＳＢ１８でＹｅｓと判定された場合は、受信に成功できる可能性があると判断できるため、受信を開始する条件を厳しくする必要はないと判断し、閾値設定部４７２は時間閾値を維持する。
【００６５】
一方、ＳＢ１８でＮｏと判定された場合は、屋内においてはＧＰＳ衛星１００を捕捉できないので、受信に失敗した原因が、室内において強い照明光が電子時計１に照射されたことで電子時計１が受信処理を実行したことによる可能性があると判断できる。この場合、閾値設定部４７２は、ＳＢ１３〜ＳＢ１５の処理を行うことにより、第１実施形態と同様に時間閾値を変更する。すなわち、閾値設定部４７２は、時間閾値が上限値よりも短い時間に設定された状態で実行された受信処理がＧＰＳ衛星１００を捕捉できずに受信に失敗した場合、時間閾値をより長い値に変更する（ＳＢ１４）。また、閾値設定部４７２は、時間閾値が上限値に設定された状態で実行された受信処理がＧＰＳ衛星１００を捕捉できずに受信に失敗した場合、時間閾値を設定値に変更する（ＳＢ１５）。
【００６６】
［第２実施形態の作用効果］
本実施形態では、ＧＰＳ衛星１００を捕捉したが受信に失敗した場合は、屋外で受信を開始したものの、受信開始条件以外の原因で受信に失敗した可能性がある。このような場合、閾値設定部４７２は、受信を開始する条件を変更せず、現在の受信開始条件を維持することで、受信頻度を維持できる。
一方、閾値設定部４７２は、時間閾値が上限値に設定された状態で実行された受信処理がＧＰＳ衛星１００を捕捉できずに受信に失敗した場合、時間閾値を上限値よりも短い値に変更するので、前記第１実施形態と同様に、時間閾値が長すぎることによって受信が失敗してしまうことを防ぐことができる。
【００６７】
［第３実施形態］
次に、本発明の第３実施形態を図面に基づいて説明する。
なお、本実施形態の電子時計１の構造は、前記第１、２実施形態と同様であるから、その詳細な説明は省略または簡略化する。
【００６８】
図１０は、第３実施形態における制御回路４７での処理を示すフローチャートである。
本実施形態では、前記第２実施形態に対して、時間閾値と受信結果とを記憶部４８に記憶させる点と、記憶部４８に記憶された受信結果に基づいて時間閾値を変更する点とにおいて異なる。なお、ＳＣ１〜ＳＣ１４，ＳＣ１７，ＳＣ１８の処理は、第２実施形態におけるＳＢ１〜ＳＢ１４，ＳＢ１７，ＳＢ１８の処理と同様である。
【００６９】
図１１は、本実施形態における判定回数と受信成功回数との関係を示す図である。
本実施形態では、図１０において、受信に成功したと判定された場合（ＳＣ７：Ｙｅｓ）、閾値設定部４７２は、受信に成功した際の判定回数に対応する受信成功回数を１回増加させ、記憶部４８に記憶させる（ＳＣ１９）。例えば、閾値設定部４７２は、図１１において、判定回数が「３」に設定されている状態で実行された受信処理が成功したと判定された場合、判定回数「３」に対応する受信成功回数を「２０」から「２１」に増加させて、記憶部４８に記憶させる。すなわち、受信成功回数は受信結果の一例である。
本実施形態では、記憶部４８には、電子時計１の使用を開始してから累積の受信成功回数が、判定回数と対応付けて記憶されている。なお、記憶部４８に記憶される受信成功回数は、電子時計１の使用を開始してからの累積の回数に限定するものではなく、例えば、受信処理を開始する前の１ヶ月間や１年間といった一定期間に受信を成功した回数が記憶されていてもよい。
【００７０】
図１０に戻って、本実施形態では、閾値設定部４７２は、設定されている判定回数が上限値であると判定された場合（ＳＣ１３：Ｙｅｓ）、閾値設定部４７２は、図１１に示すように、記憶部４８に記憶された受信成功回数が最も多い判定回数である「３」に時間閾値を変更する（ＳＣ２０）。すなわち、閾値設定部４７２は、時間閾値が上限値に設定された状態で実行された受信処理が失敗した場合は、記憶部４８に記憶された受信結果に基づいて、時間閾値を上限値よりも短い値に変更する。
【００７１】
［第３実施形態の作用効果］
本実施形態では、閾値設定部４７２は、時間閾値が上限値の条件で実行された受信処理が受信に失敗した場合は、記憶部４８に記憶された受信成功回数が最も多い判定回数である「３」に時間閾値を変更する。そのため、閾値設定部４７２は時間閾値を、前記第１、２実施形態のようにあらかじめ設定された値ではなく、ユーザーの使用状況に合わせて受信成功回数が最も多い値に変更することができる。したがって、受信処理を実行する条件を、電子時計１の様々な使用状況に応じて設定でき、受信成功率を向上できる。
【００７２】
［第４実施形態］
次に、本発明の第４実施形態を図面に基づいて説明する。
なお、本実施形態の電子時計１の構造は、前記第１実施形態と同様であるから、その詳細な説明は省略または簡略化する。
【００７３】
図１２は、第４実施形態における制御回路４７での処理を示すフローチャートである。
本実施形態では、前記第１実施形態に対して、閾値設定部４７２は、時間閾値が上限値に設定された状態で実行された受信処理が所定回数連続して受信に失敗した場合は、時間閾値を上限値よりも短い値に変更する点で異なる。なお、ＳＤ１〜ＳＤ１６の処理は、第１実施形態におけるＳＡ１〜ＳＡ１６の処理と同様である。
【００７４】
本実施形態では、閾値設定部４７２は、設定されている判定回数が上限値であると判定された場合（ＳＤ１３：Ｙｅｓ）、所定回数、連続して受信に失敗しているか否かを判定する（ＳＤ２１）。所定回数は、例えば３回である。なお、所定回数は３回に限られるものではなく、例えば、２回であってもよく、また、４回以上であってもよい。
ＳＤ２１でＹｅｓと判定された場合、閾値設定部４７２は、判定回数をあらかじめ設定された設定値である「３」に変更する（ＳＤ１５）。
一方、ＳＤ２１でＮｏと判定された場合、閾値設定部４７２は、受信失敗回数を１アップ、つまり、受信失敗回数を１回分増加させる（ＳＤ２２）。
【００７５】
また、閾値設定部４７２は、受信に成功したと判定された場合（ＳＤ７：Ｙｅｓ）、受信失敗回数を「０」に戻す（ＳＤ２３）。
【００７６】
［第４実施形態の作用効果］
本実施形態では、閾値設定部４７２は、時間閾値が上限値に設定された状態で実行された受信処理が所定回数連続して受信に失敗した場合に、時間閾値を上限値よりも短い値に変更する。
受信処理で所定回数連続して受信を失敗する場合として、例えば、電子時計１が強い照明光が照射される室内に長期間放置されているような場合が想定される。
このような場合において、閾値設定部４７２は、所定回数連続して受信を失敗することを判定するので、受信開始条件以外の原因で受信に失敗した可能性が低い、すなわち、受信開始条件が適切でない可能性が高いと判断することができる。この場合、時間閾値を上限値で維持しても受信成功率は向上しないと判断できるので、閾値設定部４７２が時間閾値をより短い値に変更することで、受信成功率を向上させることができる。
【００７７】
［他の実施形態］
なお、本発明は前述の各実施形態に限定されるものではなく、本発明の目的を達成できる範囲での変形、改良等は本発明に含まれるものである。
【００７８】
前記第１、第２、第４実施形態では、閾値設定部４７２は、時間閾値が上限値に設定された状態で実行された受信処理が失敗した場合は、時間閾値をあらかじめ設定された設定値に変更しているが、本発明はこれに限定されない。例えば、閾値設定部４７２は、時間閾値を下限値や中央値に変更してもよく、また、上限値よりも１段階短い値に設定してもよく、上限値よりも短い値に変更すればよい。
同様に、前記第３実施形態では、閾値設定部４７２は、時間閾値が上限値に設定された状態で実行された受信処理が失敗した場合は、時間閾値を受信成功数が最も多い値に変更しているが、本発明はこれに限定されない。例えば、閾値設定部４７２は、時間閾値を受信成功率が最も高い値や受信成功回数が所定回数以上で最も短い値に変更してもよく、上限値よりも短い値に変更すればよい。なお、閾値設定部４７２は、受信成功率に基づいて判定回数を変更する場合、記憶部４８には受信成功回数と対応付けて受信開始回数が記憶される。
【００７９】
前記各実施形態では、充電状態の検出を５秒間隔で行っていたが、この間隔に限定されず、例えば、１秒間隔、１０秒間隔や１分間隔に設定してもよい。
前記各実施形態では、自動受信処理時には測時モードで受信し、測位モードでの受信は強制受信処理時のみに行う形態としたが、当然、測位モードでの受信を自動受信処理で行ってもよい。例えば、自動受信処理時の受信モードをユーザーが予め選択できるようにしておき、測位モードが選択された場合には自動受信処理時に測位モードで受信し、測時モードが選択された場合には自動受信処理時に測時モードで受信すればよい。
なお、自動受信処理を測位モードで行う場合は、位置情報の算出に必要な情報を取得できなかった場合に、受信に失敗したと判定してもよい。
【００８０】
前記各実施形態では、受信処理が実行された場合、翌日の０時まで受信処理は実行されないが、本発明はこれに限定されない。例えば、受信処理が１２時よりも前に実行された場合は、１２時まで受信処理が実行されないようにし、受信処理が１２時以降に実行された場合は、翌日の０時まで受信処理が実行されないようにしてもよい。
【００８１】
前記各実施形態では、光の照度が３０００ルクス以上に相当する５．２Ｖ以上の開放電圧が検出された場合に高照度状態としたが、本発明はこれに限定されない。すなわち、高照度状態を検出する閾レベルに相当する開放電圧は、屋内における一般的な照明光による照度によって検出される値よりも高い値に設定されていればよい。
【００８２】
前記各実施形態では、閾値設定部４７２は、所定回数、連続して受信に成功したと判定された場合に、時間閾値をより短い値に変更していたが、本発明はこれに限定されない。例えば、閾値設定部は、受信を成功する毎に時間閾値を短い値に変更してもよい。また、閾値設定部は、所定期間の間、受信処理が実行されなかった場合に、時間閾値を短い値に変更してもよい。
【００８３】
本発明の電子機器は、腕時計（電子時計）に限定されず、例えば、携帯電話、登山等に用いられる携帯型のＧＰＳ受信機等、位置情報衛星から送信される衛星信号を受信する装置に広く利用できる。
【００８４】
前記各実施形態では、位置情報衛星の例として、ＧＰＳ衛星１００について説明したが、本発明はこれに限定されない。例えば、位置情報衛星としては、ガリレオ（ＥＵ）、ＧＬＯＮＡＳＳ（ロシア）、Ｂｅｉｄｏｕ（中国）などの他の全地球的公航法衛星システム（ＧＮＳＳ）で利用される衛星が適用できる。また、静止衛星型衛星航法補強システム（ＳＢＡＳ）などの静止衛星や、準天頂衛星等の特定の地域のみで検索できる地域的衛星測位システム（ＲＮＳＳ）などの衛星も適用できる。
また、電池としては、二次電池１３０に限らず、一次電池でもよい。この場合、光透過性を有する文字板を使用する必要がないので、文字板に装飾性の高いデザインを施すことができる。また、この場合、照度検出部として照度センサーを設け、照度センサーの検出値により高照度状態を判定するようにしてもよい。
【符号の説明】
【００８５】
１…電子時計、１００…ＧＰＳ衛星、５０…太陽電池、１３０…二次電池、４１…ダイオード、４２…充電制御用スイッチ、４２１…スイッチング素子、４３…充電状態検出回路、４４…電圧検出回路、４５…ＧＰＳ受信回路（受信部）、４６…時計部（計時部、時刻修正部）、４７…制御回路、４７１…受信制御部、４７２…閾値設定部、４８…記憶部。
【図１】
2019158799.tif 000003
【図２】
2019158799.tif 000004
【図３】
2019158799.tif 000005
【図４】
2019158799.tif 000006
【図５】
2019158799.tif 000007
【図６】
2019158799.tif 000008
【図７】
2019158799.tif 000009
【図８】
2019158799.tif 000010
【図９】
2019158799.tif 000011
【図１０】
2019158799.tif 000012
【図１１】
2019158799.tif 000013
【図１２】
2019158799.tif 000014